(57)【要約】  本発明の実施例は、水位調整装置を提供し、前記水位調整装置は、水タンク本体キャビティおよび水位調整キャビティを備える水タンクであって、水タンク本体キャビティと水位調整キャビティとの間には、連通されている連通口が設けられ、水位調整キャビティ内の水位が、連通口が配置された位置に達した場合、水位調整キャビティと水タンク本体キャビティとの間は互いに隔離され、水位調整キャビティ内の水位が、連通口が配置された位置より低い場合、水位調整キャビティと水タンク本体キャビティとの間は連通口を介して連通される、水タンクと、加熱水キャビティを備える蒸気発生器であって、加熱水キャビティと水位調整キャビティの間には、加熱水キャビティと水位調整キャビティに接続されて給水通路および気圧通路が設けられ、気圧通路と加熱水キャビティとの接続位置は、給水通路と加熱水キャビティとの接続位置より高い、蒸気発生器と、を備える。本発明の実施例は、水位調整装置を備える衣類スチーマーをさらに提供する。
2021517052.tif 000002
【特許請求の範囲】
【請求項１】
水タンク本体キャビティおよび水位調整キャビティを備える水タンクであって、前記水タンク本体キャビティと前記水位調整キャビティとの間には、連通されている連通口が設けられ、前記水位調整キャビティ内の水位が、前記連通口が配置された位置に達した場合、前記水位調整キャビティと前記水タンク本体キャビティとの間は互いに隔離され、前記水位調整キャビティ内の水位が、前記連通口が配置された位置より低い場合、前記水位調整キャビティと前記水タンク本体キャビティとの間は前記連通口を介して連通される、水タンクと、
加熱水キャビティを備える蒸気発生器であって、前記加熱水キャビティと前記水位調整キャビティとの間には、前記加熱水キャビティと前記水位調整キャビティに接続された給水通路および気圧通路が設けられ、前記気圧通路と前記加熱水キャビティとの接続位置は、前記給水通路と前記加熱水キャビティとの接続位置より高い、蒸気発生器と、
を備える、水位調整装置。
【請求項２】
前記水タンク本体キャビティにはさらに注水口が設けられ、前記水位調整装置はさらに、前記連通口内に設けられたシール部品と、前記注水口を開閉するための水タンク栓とを備え、前記シール部品は前記水タンク栓に接続され、前記シール部品は前記水タンク栓が開かれると前記連通口を閉じ、前記水タンク栓が閉じられると前記連通口を開く、
請求項１に記載の水位調整装置。
【請求項３】
前記シール部品は、シールロッドおよびシール蓋を含み、前記シールロッドの一端は前記水タンク栓に接続され、前記シールロッドの他端には、前記シール蓋が配置され、前記シール蓋は、前記連通口を閉鎖するために使用される、
請求項１に記載の水位調整装置。
【請求項４】
前記シールロッドの他端には、凹部と、前記凹部に近いストッパ部と、前記凹部と前記ストッパ部との間に配置された弾性部材とが設けられ、前記シール蓋は前記凹部の位置に嵌めつけられ、前記水タンク本体キャビティは前記第２連通口内に位置決め部が設けられ、前記シールロッドの他端は前記位置決め部を貫通して設けられ、且つ前記シール蓋は前記位置決め部の下に配置され、前記弾性部材の両端は、前記位置決め部と前記ストッパ部との間にそれぞれ当接する、
請求項３に記載の水位調整装置。
【請求項５】
前記シール蓋の材質はシリコーンである、
請求項３に記載の水位調整装置。
【請求項６】
前記水タンク栓は、前記注水口の内面にフィットする側壁と、前記注水口を閉鎖するための底壁とを備え、前記側壁と前記注水口の内面との間にはシールリングが設けられる、
請求項２に記載の水位調整装置。
【請求項７】
前記水位調整キャビティは、前記水タンク本体キャビティの下に配置された第１部分と、前記水タンク本体キャビティの側面に配置された第２部分とを備え、前記連通口は、前記水位調整キャビティの第１部分と前記水タンク本体キャビティとの間に配置され、前記気圧通路の一端は、前記水位調整キャビティの第２部分の前記水タンクの頂部に近い位置に接続され、前記気圧通路の他端は前記蒸気発生器の最高水位線より高い位置に接続される、
請求項１に記載の水位調整装置。
【請求項８】
前記気圧通路は、前記水タンク調整キャビティおよび前記蒸気発生器にそれぞれ接続される第１水平セクションおよび第２水平セクションと、前記第１水平セクションと前記第２水平セクションとの間を接続する斜めセクションと、を備える、
請求項１に記載の水位調整装置。
【請求項９】
前記水位調整装置はさらに、前記蒸気発生器の蒸気出口に接続されるヘッドを備え、前記ヘッドには複数の噴気孔が設けられ、前記噴気孔の断面積の和は、前記蒸気発生器の蒸気出口の断面積の５分の１から３分の１である、
請求項１ないし８のいずれか一項に記載の水位調整装置。
【請求項１０】
前記水タンク本体キャビティは、ケーシングに接続される第１側面および前記第１側面に対向する第２側面を備え、前記水タンク本体キャビティの外面と前記第２側面との間は離間しており、前記気圧通路は、前記第２側面と前記蒸気発生器との間に接続され、前記水タンクの底部の前記第２側面に近い部位と前記ケーシングとの間に支持部材が設けられている、
請求項１に記載の水位調整装置。
【請求項１１】
前記水位調整装置はさらにケーシングを含み、前記水タンクおよび前記蒸気発生器は前記ケーシング内に配置される、
請求項１に記載の水位調整装置。
【請求項１２】
請求項１ないし１１のいずれか一項に記載の水位調整装置を含む、衣類スチーマー。
【発明の詳細な説明】
【技術分野】
【０００１】
本願は、２０１８年０４月１１日に中国特許局に提出された、出願番号がＣＮ２０１８１０３２１９０４．２である中国特許出願、および２０１８年０４月１１日に中国特許局に提出された、出願番号がＣＮ２０１８１０３２３１５１．９である中国特許出願に基づいて提出されるものであり、当該中国特許出願の優先権を主張し、当該中国特許出願の全ての内容が参考として本願に組み込まれる。
【０００２】
本発明は、家電機器の分野に関し、特に、水位調整装置および当該水位調整装置を有するハンガーアイロンに関する。
【背景技術】
【０００３】
ハンガースチームアイロンは、通常、織物の折り目を伸ばすために使用され、織物および玩具の消毒や脱臭などの処理にも使用されることができる。
【０００４】
現在、ハンガーアイロンは、主に、本体、独立した水タンク、操作ハンドルおよび付属品で構成され、ここで、本体内には蒸気発生器が設けられ、水タンクと蒸気発生器の間には電磁ポンプが設けられ、電磁ポンプの入口は水タンクの出口に接続され、電磁ポンプの出口は蒸気発生器に接続される。使用する時には、水タンクに水を満たした後、本体の水タンク固定スロットに装着し、電源を入れ、電磁ポンプおよび蒸気発生器を作動させると、電磁ポンプを介して水タンク内の水を蒸気発生器に送り、蒸気発生器に蒸気を継続的に発生させ、蒸気が特定の温度に達すると、衣類にアイロンをかけることができる。
【０００５】
しかしながら、当該衣類スチーマーは、水タンク内の水を電磁ポンプを介して蒸気発生器内に送る必要があり、電磁ポンプを採用すること、および水タンクが水を適時に蒸気発生器に補充するよう電磁ポンプの制御をいかに最適化するかは、両方ともコストを増加させる。
【発明の概要】
【発明が解決しようとする課題】
【０００６】
本発明の実施例は、水位調整装置および当該水位調整装置を有する衣類スチーマーを提供することを目的とする。
【課題を解決するための手段】
【０００７】
上記した目的を実現するために、本発明の実施例の一態様によれば、水位調整装置を提供し、前記装置は、水タンク本体キャビティおよび水位調整キャビティを備える水タンクであって、前記水タンク本体キャビティと前記水位調整キャビティとの間には、連通されている連通口が設けられ、前記水位調整キャビティ内の水位が、前記連通口が配置された位置に達した場合、前記水位調整キャビティと前記水タンク本体キャビティとの間は互いに隔離され、前記水位調整キャビティ内の水位が、前記連通口が配置された位置より低い場合、前記水位調整キャビティと前記水タンク本体キャビティとの間は前記連通口を介して連通される水タンクと、加熱水キャビティを備える蒸気発生器であって、、前記加熱水キャビティと前記水位調整キャビティとの間には、前記加熱水キャビティと前記水位調整キャビティに接続された給水通路および気圧通路が設けられ、前記気圧通路と前記加熱水キャビティとの接続位置は、前記給水通路と前記加熱水キャビティとの接続位置より高い、蒸気発生器と、を備える。
【０００８】
本発明の実施例で提供される水位調整装置は、水タンクの水タンク本体キャビティと水位調整キャビティとの間には連通口が配置され、水位調整キャビティと蒸気発生器との間には気圧通路が配置され、水位調整キャビティ内の水位が、連通口が配置された位置に達した場合、連通口は閉じられ、水位調整キャビティと水タンク本体キャビティとの間は互いに隔離され、水位調整キャビティ内の水位が、連通口が配置された位置より低い場合、連通口は開かれ、水位調整キャビティと加熱水キャビティは気圧通路を介して連通し、水位調整キャビティと水タンク本体キャビティとの間は連通口を介して連通され、水位が連通口より低い場合、気圧平衡により、水タンク本体キャビティから水位調整キャビティに対して補水するように自動的に制御し、水位が、連通口の位置に達した場合、平衡状態を維持するので、当該水位調整装置は、電磁ポンプおよび電磁ポンプに対する制御の最適化が必要なく、気圧通路の設計により水位に対する調整を実現し、制御モジュールのコストを簡素化し、システムの安定性も高くなる。
【０００９】
一実施形態では、前記水タンク本体キャビティにはさらに注水口が設けられ、前記水位調整装置はさらに、前記連通口内に設けられたシール部品と、前記注水口を開閉するための水タンク栓とを備え、前記シール部品は前記水タンク栓に接続され、前記シール部品は前記水タンク栓が開かれると前記連通口を閉じ、前記水タンク栓が閉じられると前記連通口を開く。
【００１０】
一実施形態では、前記シール部品は、シールロッドおよびシール蓋を含み、前記シールロッドの一端は前記水タンク栓に接続され、前記シールロッドの他端には、前記シール蓋が配置され、前記シール蓋は、前記連通口を閉鎖するために使用される。
【００１１】
一実施形態では、前記シールロッドの他端には凹部と、前記凹部に近いストッパ部と、前記凹部と前記ストッパ部との間に配置された弾性部材とが設けられ、前記シール蓋は前記凹部の位置に嵌めつけられ、前記水タンク本体キャビティは前記第２連通口内に位置決め部が設けられ、前記シールロッドの他端は前記位置決め部を貫通して設けられ、且つ前記シール蓋は前記位置決め部の下に配置され、前記弾性部材の両端は、前記位置決め部と前記ストッパ部との間にそれぞれ当接する。
【００１２】
一実施形態では、前記シール蓋の材質はシリコーンである。
【００１３】
一実施形態では、前記水タンク栓は、前記注水口の内面にフィットする側壁とこ、前記注水口を閉鎖するための底壁とを備え、前記側壁と前記注水口の内面との間にはシールリングが設けられる。
【００１４】
一実施形態では、前記水位調整キャビティは、前記水タンク本体キャビティの下に配置された第１部分と、前記水タンク本体キャビティの側面に配置された第２部分とを備え、前記連通口は、前記水位調整キャビティの第１部分と前記水タンク本体キャビティとの間に配置され、前記気圧通路の一端は、前記水位調整キャビティの第２部分の前記水タンクの頂部に近い位置に接続され、前記気圧通路の他端は前記蒸気発生器の最高水位線より高い位置に接続される。
【００１５】
一実施形態では、前記気圧通路は、前記水タンク調整キャビティおよび前記蒸気発生器にそれぞれ接続される第１水平セクションおよび第２水平セクションと、前記第１水平セクションと前記第２水平セクションとの間を接続する斜めセクションとを備える。
【００１６】
一実施形態では、前記水位調整装置はさらに前記蒸気発生器の蒸気出口に接続されるヘッドを備え、前記ヘッドには複数の噴気孔が設けられ、前記噴気孔の断面積の和は、前記蒸気発生器の蒸気出口の断面積の５分の１から３分の１である。
【００１７】
一実施形態では、前記水位調整装置はさらにケーシングを含み、前記水タンクおよび前記蒸気発生器は前記ケーシング内に配置される。
【００１８】
一実施形態では、前記水タンク本体キャビティは、ケーシングに接続される第１側面および前記第１側面に対向する第２側面を備え、前記水タンク本体キャビティの外面と前記第２側面との間は離間しており、前記気圧通路は、前記第２側面と前記蒸気発生器との間に接続され、前記水タンクの底部の前記第２側面に近い部位と前記ケーシングとの間に支持部材が設けられている。
【００１９】
本発明の実施例の別の態様によれば、衣類スチーマーをさらに提供し、前記衣類スチーマーは、上記のいずれか１つに記載の水位調整装置を含む。
【発明の効果】
【００２０】
本発明の実施例は、水位調整装置を含む衣類スチーマーを提供し、ここで、水位調整装置における水タンクの水タンク本体キャビティと水位調整キャビティとの間には連通口が設けられ、水位調整キャビティと蒸気発生器との間には気圧通路が配置され、水位調整キャビティ内の水位が、連通口が配置された位置に達した場合、連通口は閉じられ、水位調整キャビティと水タンク本体キャビティとの間は互いに隔離され、水位調整キャビティ内の水位が、連通口が配置された位置より低い場合、連通口は開かれ、水位調整キャビティと加熱水キャビティは気圧通路を介して連通され、水位調整キャビティと水タンク本体キャビティとの間は連通口を介して連通され、水位が連通口より低い場合、気圧平衡により、水タンク本体キャビティから水位調整キャビティに対して補水するように自動的に制御し、水位が、連通口が配置された位置に達した場合平衡状態を維持するので、当該水位調整装置は、電磁ポンプおよび電磁ポンプに対する制御の最適化が必要なく、気圧通路の設計により水位に対する調整を実現し、制御モジュールのコストを簡素化し、システムの安定性も高くなるため、当該水位調整装置を採用した衣類スチーマーのコストは低くなり、且つ安定性は高い。
【図面の簡単な説明】
【００２１】
【図１】一実施例における水位調整装置の構造概略図である。
【図２】図１の円ＩＩの部分の拡大図である。
【発明を実施するための形態】
【００２２】
本発明の実施形態を添付の図面を参照して、以下にさらに説明する。
特に定義されない限り、本明細書で使用される技術用語および科学用語は、本発明の技術分野の当業者によって一般に理解されるものと同じ意味を有する。本明細書では、本発明の説明で使用される用語は、特定の実施例を説明することを目的とし、本発明を限定することを意図しない。本明細書で使用される「および／または」という用語は、１つまたは複数の列挙されたアイテムのいずれかおよびすべての組み合わせを含む。
【００２３】
本発明の実施例の説明において、「中心」、「上」、「下」、「前」、「後」、「左」、「右」、「垂直」、「水平」、「頂」、「底」、「内」、「外」などの用語が指示する方向または位置関係は、図面に示す方向または位置関係に基づいており、本発明の実施例の説明を容易におよび簡潔にするためだけであり、言及された装置またはコンポーネントが特定の方向を有し、または特定の方向で構築および操作しなければならないことを示すまたは暗示するものではない。したかって、本発明を限定するものとして理解することはできない。本発明の実施例の説明において、特に限定されない限り、「複数」は２つまたは２つ以上を意味する。
【００２４】
本発明の実施例の説明において、明確的に規定および限定されない限り、「実装」、「互に接続」、「接続」という用語は、例えば、固定式接続であってもよく、着脱可能な接続であってもよく、または一体型接続であってもよく、直接に互いに接続されてもよく、中間媒体を介して間接的に互いに接続されてもよく、２つのコンポ―ネットの内部の連通であってもよいなど、広い意味で理解されるべきであることに留意されたい。当業者は、具体的な状況に従って本発明における上述の用語の具体的な意味を理解することができる。
【００２５】
図１を参照すると、本願の一実施例で提供される水位調整装置の例示的な構造図である。当該水位調整装置は、水タンク１０および蒸気発生器３０を備える。当該水タンク１０は、水タンク本体キャビティ１１および水位調整キャビティ１３を備え、水タンク本体キャビティ１１と水位調整キャビティ１３との間には、連通されている連通口１４が設けられる。水位調整キャビティ１３内の水位が、連通口１４が配置された位置に達した場合、水位調整キャビティ１３と水タンク本体キャビティ１１との間はお互に隔離され、当該水位調整キャビティ１３内の水位が、連通口１４が配置された位置より低い場合、水位調整キャビティ１３と水タンク本体キャビティ１１との間は、連通口１４を介して連通される。蒸気発生器３０は、加熱水キャビティ３１を備え、加熱水キャビティ３１と水位調整キャビティ１３との間には、給水通路５５および気圧通路５０が接続されて設けられ、気圧通路５０と加熱水キャビティ３１との接続位置は、給水通路５５と加熱水キャビティ３１との接続位置より高い。
【００２６】
上記の実施例では、水タンク本体キャビティ１１は、連通口１４を介して水位調整キャビティ１３に連通され、蒸気発生器３０は、気圧通路５０を介して水位調整キャビティ１３に接続される。水位を当該連通口１４が配置された位置まで上昇させることにより、当該連通口１４が閉じ、水位が当該連通口１４が配置された位置より下がることにより、当該連通口１４が開く。連通口１４の開閉により、水タンク本体キャビティ１１と水位調整キャビティ１３との間における、補水作動状態と注水待機作動状態との切り替えを制御する。
【００２７】
連通口１４が開かれると、当該水タンク本体キャビティ１１と水位調整キャビティ１３との間は連通状態となり、この場合、水タンク１０は補水作動状態であり、水位調整キャビティ１３および加熱水キャビティ３１は、連通口１４を介して水タンク本体キャビティ１１と連通状態となり、水タンク本体キャビティ１１内の水は、圧力作用で水位調整キャビティ１３内に流入し、水位調整キャビティ１３内の水は、圧力作用で給水通路５５を介して加熱水キャビティ３１に流れて補水するため、水位調整キャビティ１３および加熱水キャビティ３１内の水位を両方とも上昇させる。水位調整キャビティ１３内の水位が、連通口１４が配置された位置まで上昇した場合、連通口１４は、水に包囲されて連通口１４が閉じられ、水タンク本体キャビティ１１と水位調整キャビティ１３との間は隔離状態となり、この場合、水タンク１０は注水待機作動状態である。本実施例では、連通口１４が配置された位置は、即ち、水位調整キャビティ１３および加熱水キャビティ３１内の水位が自動平衡状態に達する時の所定水位線Ａの位置である。当該水位調整装置の動作プロセスでは、蒸気発生器３０内に蒸気が発生されるため、水位は徐々に下がって、水位が所定水位線Ａより低くなると、連通口１４は水に包囲されなくなり、それにより、当該連通口１４が再び開放されて、水タンク１０を補水作動状態に切り替えて再び補水し、水位調整キャビティ１３および加熱水キャビティ３１内の水位が所定水位線Ａまで再び上昇すると連通口１４を閉じる。このような往復を繰り返し、それにより、水位を自動的に調整する目的を達成する。
【００２８】
一具体的な実施例において、水タンク本体キャビティ１１にはさらに注水口１２が設けられ、当該水位調整装置はさらに、連通口１４内に設けられたシール部品２０と、注水口１２を開閉するための水タンク栓１６を備え、シール部品２０は水タンク栓１６に接続され、シール部品２０は、水タンク栓１６が開かれると連通口１４を閉じ、水タンク栓１６が閉じられると連通口１４を開く。
【００２９】
ここで、シール部品２０の少なくとも一部が連通口１４に位置するように配置し、シール部品２０と水タンク栓１６とを連動させ、水タンク栓１６が開かれると連通口１４を閉じ、水タンク栓１６が閉じられると連通口１４を開き、それにより、水タンク本体キャビティ１１と水位調整キャビティ１３との間が、水タンク栓１６が開かれると互に隔離され、水タンク本体キャビティ１１と水位調整キャビティ１３との間が、水タンク栓１６が閉じられると連通するように制御することができる。水タンク栓１６が開かれた場合、連通口１４の開閉は、水位調整キャビティ１３内の水位の高さに影響されることなく、シール部品２０が連通口１４を閉鎖したかどうかにより実現される。具体的に、注水口１２に対して水タンク栓１６を外側に引き抜いて注水口１２を開放すると同時に、シール部品２０は、水タンク栓１６の引き抜きに伴い上方に移動して連通口１４をシーリングし、この場合、注水口１２を介して水タンク本体キャビティ１１に注水することが可能である。シール部品２０のシール作用により、水タンク本体キャビティ１１と水位調整キャビティ１３が隔離状態となり、これにより、水タンク本体キャビティ１１内に水を追加すると同時に、水タンク本体キャビティ１１内の水が水位調整キャビティ１３内に大量に直接流入することによる、水位調整キャビティ１３と加熱水キャビティ３１との間の水位の自動平衡調整の失効を回避することができる。水タンク栓１６を注水口１２に装着して注水口１３を閉じると、シール部品２０は、水タンク栓１６の装着に伴って初期位置まで戻るよう移動して連通口１４を開き、この場合、水タンク本体キャビティ１１内の水を、連通口１４を介して水位調整キャビティ１３に補充することができ、水位調整キャビティ１３内の水位が所定水位線Ａに達したかどうかの変化により、水タンク１０を補水作動状態と注水待機作動状態との間で切り替えることができるようにする。
【００３０】
したがって、水タンク栓１６が開かれた後に、注水口１２を介して水タンク１０内に水を追加する操作の間、水タンク本体キャビティ１１と水位調整キャビティ１３との間は、シール部品１０のシール作用により互いに隔離された状態を維持する。水タンク栓１６が閉じられた状態が維持されると、再び、水位調整キャビティ１１内の水位が所定水位線Ａに達したかどうかの変化により、水タンク本体キャビティ１１と水位調整キャビティ１３との間の連通状態と隔離状態との切り替えを制御し、それにより、水タンク１０の補水作動状態と注水待機作動状態との切り替えを制御する。シール部品２０と水タンク栓１６との間は連動関係を形成し、水タンク１０内に水を追加する時、水タンク本体キャビティ１１と水位調整キャビティ１３とを隔離して、水位調整キャビティ１３内の水位が、注水動作による破壊を受けないことを確保し、水位調整キャビティ１３と加熱水キャビティ３１との間で、気圧通路５０を介して水位平衡状態を維持することにより、水位の自動調整を実現することを確保する。
【００３１】
一具体的な実施例において、水タンク１０全体は、ほぼ長方形であり、水タンクは、底板、底板から垂直上方に延びる側板及び底板に対向する頂板を備える。前記底板、前記側板および前記頂板によって囲まれた閉鎖した空間が形成される。水タンク１０内の空間は、複数の区画パネルによって仕切られて、水タンク本体キャビティ１１および水位調整キャビティ１３を形成する。区画パネルは、垂直区画パネルおよび水平区画パネルを含む。ここで、垂直区画パネルは、頂板から底板が配置された方向へ延伸し、且つ側板との間に一定の距離の間隔がある。水平区画パネルは頂板に対向し、水平区画パネルは、垂直区画パネルと側板との間に接続され、且つ底板との間に一定の距離の間隔がある。前記垂直区画パネル、水平区画パネル、水タンクの頂板および側板に囲まれて水タンク本体キャビティ１１が形成される。垂直区画パネル、水平区画パネル、水タンクの底板および側板に囲まれて水位調整キャビティ１３が形成される。
【００３２】
ここで、当該水位調整装置はさらにケーシング４０を備え、水タンク１０および蒸気発生器３０は、両方とも当該ケーシング４０内に収容される。水タンク１０はケーシング４０に内蔵され、且つケーシング４０を介して蒸気発生器３０と一体となるよう設計されている。それにより、水タンク１０とケーシング４０との間に水タンク固定スロットを形成することにより水タンク１０を固定しなければならないことを回避し、注水動作中に水タンク１０を取り外す必要もない。
【００３３】
注水口１２は、水タンク１０の頂板に配置され、当該頂板とケーシング４０との間には一定の間隔が形成される。注水口１２は、水タンク１０の頂板からケーシング４０が配置された位置へ延伸して当該ケーシング４０の表面から突出する注水管１２１を備える。水タンク栓１６の形は注水口の形とマッチングし、当該水タンク栓１６は、注水口１２の内面にフィットする側壁、およびケーシング４０の表面に当接する、注水口１２を閉鎖するための底壁を備え、側壁と注水口１２の内面との間にはシールリング１６２が設けられる。本実施例では、当該注水口１２の内面とは、具体的に、注水管１２１の内面を指す。水タンク栓１６の側壁の外面には環状溝が設けられ、シールリング１６２は、水タンク栓１６の側壁の対応する環状溝内に設けられ、水タンク栓１６が注水口１２内に装着されると、より優れたシーリング効果を達成する。
【００３４】
連通口１４は水平区画パネルに配置され、当該水位調整キャビティ１３の第１部分１３１を形成するために、当該水平区画パネルとケーシング４０との間には所定のサイズの間隔がある。連通口１４は、水平区画パネルからケーシングが位置する方向へ延伸する連通管１４１を備え、当該連通管１４１は、当該水位調整キャビティ１３の第１部分１３１内に突出して伸びる。図１および図２を参照すると、シール部品２０は、シールロッド２１およびシール蓋２５を備え、シールロッド２１の一端は水タンク栓１６に接続され、シール蓋２５は、当該シールロッド２１の他端に設けられ、且つ連通口１４に配置される。選択的に、シールロッド２１は直線状であり、連通口１４と注水口１２は、水タンク１０の垂直方向に沿って整列され、それにより、シールロッド２１の一端が水タンク栓１６に接続されることができるようにし、シールロッド２１の他端が連通口１４に配置されるようにする。シール蓋２５は、シールロッド２１の他端に設けられることにより、当該連通口１４に設けられる。シール蓋２５のサイズは、当該連通口１４のサイズと等しいか、少し大きく、シール部品２０が水タンク栓１６の開放または装着に伴って連動して移動する場合、それぞれ、シール蓋２５全体が連通口１４内に収容されて連通口１４を閉じるか、シール蓋２５が連通口１４に対して外へ突出して連通口１４を開くようにする。具体的な一実施例において、シール蓋２５の材料はシリコーンであり、シリコーン製のシール蓋２５全体が連通口１４に収容されることにより、連通口を閉鎖する效果をよりよく達成することができる。
【００３５】
シールロッド２１の他端には、凹部２３、凹部２３に近いストッパ部２２、および凹部２３とストッパ部２２との間に配置される弾性部材２４が設けられる。シール蓋２５は凹部２３の位置に嵌めつけられ、水タンク本体キャビティ１１には、連通口１４内に１つの位置決め部１４３を設けられ、シールロッド２１の他端は位置決め部１４３を貫通して設けられ、シール蓋２５は位置決め部１４３の下に配置され、弾性部材２４の両端は、位置決め部１４３とストッパ部２２との間にそれぞれ当接する。ここで、凹部２３は、シールロッド２１の外面からシールロッド２１の中心方向に凹むことにより形成され、シール蓋２５の位置の固定を実現するために、シール蓋２５は凹部２３の位置に設けられる。ストッパ部２２は、シールロッド２１の外面からシールロッド２１の中心から離れる方向に延伸して形成され、弾性部材２４は、シール蓋２５とストッパ部２２との前方に配置される。位置決め部１４３は連通口１４内に配置され、位置決め部１４３は連通管１４１の内面に接続されており、当該連通口１４は半閉鎖構造に形成される。当該位置決め部１４３にはシールロッド２１の他端が貫通可能な貫通孔が設けられる。シール部品２０が水タンク１０内に装着された場合、当該シールロッド２１の他端は当該位置決め部１４３の貫通孔を貫通して設けられ、且つシール蓋２５は位置決め部１４３の下に配置され、この場合、弾性部材２４の両端は、位置決め部１４３とストッパ部２２との間にそれぞれ当接する。
【００３６】
水タンク栓１６を注水口１２に装着する場合、シール部品２０の弾性部材２４の両端は、位置決め部１４３とストッパ部２２との間にそれぞれ当接し、この場合、シール部品２０は、水タンク栓１６の制限を受け、弾性部材２４は、圧縮されている変形状態であり、且つシール蓋２５は連通口１４の外部に突出し延伸し、それにより、シール蓋２５と連通口１４との間には隙間が形成されて、連通口１４が開放状態になる。水タンク栓１６を注水口１２から引く抜くと、シール部品２０は、水タンク栓１６の制限に拘束されなくなり、弾性部材２４は、圧縮している変形状態から自然状態に戻ろうとする動きにより、シールロッド２１を上に移動させ、弾性部材２４が自然状態に戻ると、シール蓋２５はシールロッド２１の上方への移動に伴って、連通口１４に収容され、それにより連通口１４を閉鎖する。シール部品２０を水タンク栓１６と連動させ、弾性部材２４を配置することにより、シール部品２０は、水タンク栓１６を引く抜いて水タンク１０に水を追加する間、シール部品２０が、連通口１４を自動的に閉鎖してシール状態を維持することができるようにし、水タンク１０に水を追加する操作中に、水タンク本体キャビティ１１と水位調整キャビティ１３との間の有効的な隔離を確保することができる。
【００３７】
垂直区画パネルとケーシング４０との間に、当該水位調整キャビティの第２部分１３３を形成するために、垂直区画パネルとケーシング４０との間は互いに離間している。即ち、当該水位調整キャビティ１３は、水タンク本体キャビティ１１の下に配置された第１部分１３１および水タンク本体キャビティ１１の側面に配置された第２部分１３３を含み、当該連通口１４は、水位調整キャビティ１３の第１部分１３１と水タンク本体キャビティ１１との間に配置され、気圧通路５０の一端は、水位調整キャビティ１３の第２部分１３３の、水タンク１０の頂部に近い位置に接続され、気圧通路５０の他端は、蒸気発生器３０の最高水位線Ｈより高い位置に接続される。通常、蒸気発生器３０内の最高水位線Ｈは、加熱水キャビティ３１および水位調整キャビティ１３内の水位が自動的に平衡する時の所定水位線Ａより高いか等しい。本実施例では、蒸気発生器３０の加熱水キャビティ３１の最高水位線Ｈは、水位調整キャビティ１３内の所定水位線Ａと同じであり、即ち、同じ水平面に位置し、即ち、当該最高水位線Ｈは、具体的には、当該シール部品２０が連通口１４とフィットする位置である。気圧通路５０が蒸気発生器３０に接続される位置を最高水位線Ｈの位置より高く設定することにより、気圧通路５０を介して水位調整キャビティ１３および加熱水キャビティ３１内の気圧の平衡を実現して水位を調整する時に、水が気圧通路５０に入って気圧平衡を破壊することによる、自動調整の失效を回避することができる。
【００３８】
ここで、気圧通路５０は、水位調整キャビティ１３および蒸気発生器３０にそれぞれ接続する第１水平セクション５１および第２水平セクション５３、並びに第１水平セクション５１と第２水平セクション５３の間に接続される斜めセクション５２を備える。水位調整装置の動作プロセス中に、加熱水キャビティ３１内では蒸気が生成されるため、水位が下がって、且つ気圧が上昇するが、気圧通路５０を介して水位調整キャビティ１３および加熱水キャビティ３１内の気圧をより迅速に平衡に到達させるために、斜めセクション５２を備えるように気圧通路５０を配置して、気圧通路５０内の全体の容積を相対的に増加させ、両側の空気交換の効率を向上させ、それにより、平衡をより迅速に達成する効果を取得することができる。同様に、気圧通路５０の容積を増大させ、それにより、気圧平衡の效率を可能な限り向上させるために、他の構成要素に干渉しないことを前提として、気圧通路５０の横断面サイズを可能な限り大きくすることもできる。
【００３９】
具体的な一実施形態において、水タンク１０は、ケーシング４０に接続される第１側面および当該第１側面に対向する第２側面を備え、水タンク本体キャビティ１１の外面と当該ケーシング４０の第２側面との間は離間しており、当該気圧通路５０は、当該ケーシング４０の第２側面と蒸気発生器３０との間に接続され、水タンク１０の底部には、第２側面に近い部位とケーシング４０との間に支持部材１５が設けられている。本実施例では、当該第１側面は、具体的には、水タンク１０の１つの側壁であり、当該第２側面は、水タンク１０の対向する別の側壁である。当該別の側壁は、蒸気発生器３０が配置された位置に近く、気圧通路５０は、当該別の側壁と蒸気発生器３０との間に接続される。第２側壁に近い水タンク１０の底部の位置には支持部材１５が配置され、第１側面および当該支持部材１５により、水タンク１０がケーシング４０内に水平に取り付けらるように支持する。異なるサイズの水タンク１０を固定し易くするように、支持部材１５とケーシング４０とは、取り外し可能に接続され、それにより、支持部材１５の位置、高さなどを調整するのに便利である。ここで、取り外し可能な接続は、スナップ接続、ねじ接続または他の既知の取り外し可能な接続方式であり得る。
【００４０】
選択的に、水位調整装置は、蒸気発生器３０の蒸気出口３５に接続されるヘッド３２をさらに備え、前記ヘッド３２には複数の噴気孔３４が設けられ、前記噴気孔３４の断面積の和は、蒸気発生器３０の蒸気出口３５の断面積の５分の１から３分の１である。ヘッド３２は、ダクト３３を介して蒸気発生器３０の蒸気出口３５に接続される。ヘッド３２の噴気孔３４の断面積の和が蒸気発生器の蒸気出口３５の断面積の５分の１から３分の１であるように設定し、噴気孔３４の断面積と蒸気出口３５の断面積の比率を制御することにより、蒸気発生器内の圧力の大きさを調整して、蒸気の噴出強度を高めることができる。
【００４１】
本発明の実施例の別の態様によれば、衣類スチーマーを提供し、当該衣類スチーマーは、上記のいずれか１つの実施例で提供される水位調整装置を備える。ここで、当該衣類スチーマーは、当該水位調整装置によって、水タンクと蒸気発生器との間に配置された気圧通路を通じて、衣類スチーマーの動作中に、気圧平衡を利用して水位の自動調整を実現する。
【産業上の利用可能性】
【００４２】
本発明の実施例は、水位調整装置および当該水位調整装置を有する衣類スチーマーを提供し、当該水位調整装置では、水タンクの水タンク本体キャビティと水位調整キャビティとの間には連通口が配置され、水位調整キャビティと蒸気発生器との間には気圧通路が配置され、水位調整キャビティ内の水位が、連通口が配置された位置に達した場合、連通口は閉じられ、水位調整キャビティと水タンク本体キャビティとの間は互いに隔離され、水位調整キャビティ内の水位が、連通口が配置された位置より低くなった場合、連通口は開かれ、水位調整キャビティと加熱水キャビティは気圧通路を介して連通し、水位調整キャビティと水タンク本体キャビティの間は連通口を介して連通され、水位が連通口より低い場合、気圧平衡により、水タンク本体キャビティを自動的に制御して水位調整キャビティに対して補水するようにし、水位が、連通口が配置された位置に達した場合、平衡状態が維持される。このため、当該水位調整装置は、電磁ポンプおよび電磁ポンプに対する制御の最適化が必要なく、気圧通路の設計により水位に対する調整を実現し、制御モジュールのコストを簡素化し、システムの安定性も高くなるため、当該水位調整装置を採用する衣類スチーマーのコストはより低くなり、且つ安定性は高い。
【図１】
2021517052.tif 000003
【図２】
2021517052.tif 000004
【国際調査報告】
2021517052.tif 000005
2021517052.tif 000006
2021517052.tif 000007
2021517052.tif 000008